(57)【要約】【課題】磁気テープなどの記録媒体が削られ難く、スペーシングロスによる出力低下を起し難い回転ヘッド装置およびこれを用いた磁気再生装置を提供する。【解決手段】回転ヘッド装置１００は、搭載される磁気ヘッドＨ１００ａ、Ｈ１００ｂの記録媒体対向面Ｈ１００ａＡ、Ｈ１００ｂＡが、前記記録媒体の摺動方向と直交する方向を二分する中心線での縦断面、及び前記中心線と直交する横断面において、回転ドラム１０ａの外側に向けて凸状に湾曲している。前記横断面での湾曲の頂点が、前記縦方向の一方に向かうにしたがって前記中心線から徐々に離れ、他方に向かうにしたがって前記中心線から前記一方と逆向きに徐々に離れる形状であり、前記対向面Ｈ１００ａＡ、Ｈ１００ｂＡは、前記記録媒体の摺動領域１２６において、前記一方及び他方での頂点と中心線との横方向の距離の最大値が、それぞれ２μｍである。【選択図】　　図５
2004134043.tif 000002
【特許請求の範囲】
【請求項１】
外周面が記録媒体との摺動面となる回転ドラムと、前記回転ドラムの摺動面に位置する磁気ヘッドとが設けられた回転ヘッド装置において、前記磁気ヘッドは、記録媒体との摺動方向に並ぶ基体と、前記基体間に位置して前記摺動方向に対して所定のアジマス角度を有して傾斜して配置された磁気再生素子とを有しており、
前記磁気ヘッドの前記記録媒体との対向面は、前記摺動方向である縦方向の幅寸法が、これと直交する横方向の幅寸法よりも長く、
前記対向面は、前記横方向を二分する中心線での縦断面においてドラムの外側に向けて凸状に湾曲しているとともに、前記中心線と直交する横断面においてもドラムの外側に向けて凸状に湾曲しており、前記横断面での湾曲の頂点が、前記縦方向の一方に向かうにしたがって前記中心線から徐々に離れ、他方に向かうにしたがって前記中心線から前記一方と逆向きに徐々に離れる形状であり、
前記対向面は、前記記録媒体と摺動する摺動領域において、前記一方での頂点と中心線との横方向の距離、および前記他方での頂点と中心線との横方向の距離の最大値が、それぞれ２μｍであることを特徴とする回転ヘッド装置。
【請求項２】
前記対向面は、前記縦方向に延びる互いに平行な一対の長辺と、前記アジマス角度と同じ方向に傾斜する互いに平行な一対の短辺、および前記長辺と前記短辺とで鋭角を成す一対の角部を有しており、
前記頂点は、縦方向に向かうにしたがって、前記中心線から離れて前記両角部に向かうように変化している請求項１記載の回転ヘッド装置。
【請求項３】
請求項１または請求項２に記載の回転ヘッド装置を有し、前記記録媒体が、前記回転ヘッドの外周面に所定の角度で巻き付けられ、前記記録媒体が長手方向へ移動するとともに、前記回転ヘッド装置の回転ドラムが回転して、前記磁気ヘッドが前記記録媒体を摺動し、前記磁気ヘッドにより少なくとも前記記録媒体に記録された磁気情報の読み取りが行われることを特徴とする磁気再生装置。
【発明の詳細な説明】
【０００１】
【発明の属する技術分野】
本発明は磁気ヘッドを備えた回転ヘッド装置およびこれを用いた磁気再生装置に係り、さらに詳しくは記録媒体が削られ難い磁気ヘッドを有し、記録媒体が削られることによって生じた堆積物に起因するスペーシングロスによる出力低下、およびエラー特性の劣化を抑制できる回転ヘッド装置およびこれを用いた磁気再生装置に関する。
【０００２】
【従来の技術】
映像機器での磁気記録再生装置、またはコンピュータ用のデータを保存する磁気記録再生装置などには、回転ヘッド装置の回転ドラムに磁気ヘッドが搭載され、磁気テープが前記回転ドラムにヘリカル軌跡で接触して走行するとともに前記回転ドラムが回転して、磁気テープに対してヘリカルスキャン方式で記録再生動作が行なわれるものがある。
【０００３】
図８は磁気ヘッドが搭載された状態で磁気記録再生装置に設けられる回転ヘッド装置を示す平面図、図９は前記回転ヘッド装置に搭載された磁気ヘッドの一例を示す斜視図、図１０Ａは図７に示す磁気ヘッドを図示Ｚ１方向から見た平面を時計回りに９０度回転させた状態で示した平面図、ＢはＡをｂ−ｂ線で切断してｘ方向から見た矢視図、ＣはＡをｃ−ｃ線で切断してｘ方向から見た矢視図、ＤはＡをｄ−ｄ線で切断してｘ方向から見た矢視図、図１１は図６に示す回転ヘッド装置に磁気テープが接触した状態を示す部分拡大図、図１２は図９に示す磁気ヘッドを図９におけるＹ２方向から見た平面図である。
【０００４】
図８に示す回転ヘッド装置１では、固定ドラム（図示せず）が固定され、前記固定ドラム上に、これと同軸の回転ドラム１ａが回転自在に支持され、モータの動力により前記回転ドラム１ａが矢印方向へ回転駆動される。記録媒体である磁気テープＴは、回転ヘッド装置１にヘリカル軌跡にて所定角度巻付けられて矢印方向へ走行する。この間、回転ドラム１ａが回転し、この回転ドラム１ａに搭載された磁気ヘッドＨ１ａ、Ｈ１ｂが磁気テープＴを走査する。図８の回転ヘッド装置１では、１組の再生用の磁気ヘッドＨ１ａ，Ｈ１ｂが互いに対向する位置に設けられている。
【０００５】
図９は２つの磁気ヘッドＨ１ａ、Ｈ１ｂのうち、磁気ヘッドＨ１ａの斜視図である。この磁気ヘッドＨ１ａは、アルミナチタンカーバイドからなる基体２上に、再生用のＭＲ型薄膜磁気ヘッド３、および保護膜である絶縁層４が薄膜形成プロセスによって形成され、さらに、前記絶縁層４上に、エポキシ系接着剤などの接着手段（図示せず）によって、アルミナチタンカーバイドからなる保護基体５が接着されている。
【０００６】
ＭＲ型薄膜磁気ヘッド３の磁気ギャップ６は、前記磁気ヘッドＨ１ａの磁気テープの対向面（図示Ｙ２側の面）Ｈ１ａＡに露出している。ＭＲ型薄膜磁気ヘッド３に流される電流は、電極７を通じて与えられる。
【０００７】
前記磁気ヘッドＨ１ａは前記回転ドラム１ａに搭載された状態で図１１に示す状態で前記磁気テープＴと当接する。このとき、図１１に示すＸ１方向が回転ドラム１ａの回転方向であり、Ｘ２方向が磁気テープＴの摺動方向である縦方向となる。
【０００８】
図１０Ａに示すように、前記磁気ヘッドＨ１ａは磁気テープＴの摺動方向である縦方向に沿って曲率半径Ｒで形成される凸円弧形状に形成されている。また図１０Ｂに示すように、前記磁気ヘッドＨ１ａは磁気テープＴの摺動方向と直交する方向である横方向（図９に示すＺ１−Ｚ２方向）に沿って曲率半径ｒで形成される凸円弧形状に形成されている。
【０００９】
前記記録再生装置はいわゆるヘリカルスキャン方式である。したがって図１２に示すように、前記磁気ヘッドＨ１ａに設けられた前記ＭＲ型薄膜磁気ヘッド３の前記磁気ギャップ６にはヘリカル軌跡に対応した角度θのアジマスが付けられている。
【００１０】
また、前記テープ対向面Ｈ１ａＡの右側縁８および左側縁９も前記磁気ギャップ６のアジマスと同じ角度で傾斜させられている。前記右側縁８と上縁１０との交叉部に生じた鋭角部１２は、前記右側縁８と下縁１１との交叉部に生じた角部１３よりも前記縦方向に向って外側に位置しており、また前記左側縁９と上縁１０との交叉部に生じた角部１４は、前記左側縁９と下縁１１との交叉部に生じた鋭角部１５よりも前記縦方向に向って内側に位置している。したがって、前記対向面Ｈ１ａＡの磁気テープ側（図９におけるＹ２側）から見た平面形状は図１２に示すような平行四辺形に構成されている。
【００１１】
前記磁気ヘッドＨ１ｂは前記磁気ヘッドＨ１ａと同様の構造である。しかし、前記磁気ヘッドＨ１ａとは逆方向のアジマスが付けられているため、対向面Ｈ１ｂＡの磁気テープ側から見た平面形状は、磁気ヘッドＨ１ａとは逆方向に傾斜した平行四辺形に構成される。
【００１２】
図１２においてハッチングを付した範囲は、前記磁気ヘッドＨ１ａが回転ドラム１ａに搭載され、磁気テープが前記対向面Ｈ１Ａに摺動したときの磁気テープ摺動領域を示すものである。また、図１２に示すＸ１方向が磁気テープＴの摺動方向である縦方向となる。
【００１３】
ここで、前記対向面が磁気テープの摺動方向に沿って曲率半径Ｒで形成される凸円弧形状に形成され、かつ磁気テープの摺動方向と直交する方向に沿って曲率半径ｒで形成される凸円弧形状に形成されていることが開示されている先行技術文献としては次のものがある。
【００１４】
【特許文献１】
実開昭６２−０１８８１２号公報
【００１５】
【発明が解決しようとする課題】
しかし、前記磁気ヘッドＨ１ａは、前記テープの対向面Ｈ１ａＡを磁気テープ側から見た平面形状が平行四辺形に構成されている。したがって、前記対向面Ｈ１ａＡに前記横方向に沿って曲率半径ｒで形成される凸円弧を形成する際には、図１２に示すように、鋭角部１２、１５に向って前記曲率半径ｒで形成される凸円弧の頂点が形成され易く、前記頂点の連続線ＰＬ１は図１２に破線で示すように、前記鋭角部１２、１５に向う曲線となる。
【００１６】
すなわち、前記曲率半径ｒで形成される凸円弧の頂点位置は、前記磁気ギャップ６から前記右側縁８側の領域では、前記鋭角部１２に近付くにしたがって、前記対向面Ｈ１ａＡの前記横方向で２分する中心線Ｏ−Ｏ線に対して、前記上縁１０方向に離れてずれる。そして、前記右側縁８では、前記頂点位置は前記鋭角部１２とほぼ同じ位置に形成される。
【００１７】
例えば、図１０Ｂに示すように、前記磁気ヘッドＨ１ａを前記縦方向に２分する中心線ｂ−ｂ線で切断してｘ方向から見た矢視図では、前記頂点Ｐ１の位置は前記中心線Ｏ−Ｏ線のほぼ同一線上に位置している。しかし、図１０Ｃに示すように、前記中心線ｂ−ｂ線よりも前記右側縁８方向に位置するｃ−ｃ線で切断してｘ方向から見た矢視図では、前記頂点Ｐ２の位置は前記中心線Ｏ−Ｏ線よりも前記上縁１０方向に離れた部分に位置している。
【００１８】
一方、前記磁気ギャップ６から前記左側縁９側の領域では、前記曲率半径ｒで形成される凸円弧の頂点位置は、前記鋭角部１５に近付くにしたがって、前記中心線Ｏ−Ｏ線に対して、前記下縁１１方向に離れてずれる。そして、前記左側縁９では、前記頂点位置は前記鋭角部１５とほぼ同じ位置に形成される。
【００１９】
例えば、図１０Ｄに示すように、前記中心線ｂ−ｂ線よりも前記左側縁９方向に位置するｄ−ｄ線で切断してｘ方向から見た矢視図では、前記頂点Ｐ３の位置は前記中心線Ｏ−Ｏ線よりも前記下縁１１方向に離れた部分に位置している。
【００２０】
なお、前記磁気ヘッドＨ１ｂでは前記磁気ヘッドＨ１ａとは逆方向のアジマスが付けられているため、前記中心線Ｏ−Ｏ線に対する前記連続線ＰＬ１のずれは、前記磁気ヘッドＨ１ａとは前記中心線Ｏ−Ｏ線を基準として対称になる。
【００２１】
したがって、前記対向面Ｈ１ａＡの磁気テープＴの摺動領域内に磁気テープが接触して摺動したときに、前記中心線Ｏ−Ｏ線から前記連続線ＰＬ１のずれが生じている領域Ｌ１では、前記連続線ＰＬ１が前記中心線Ｏ−Ｏ線からのずれに伴って生ずる角度を有して磁気テープＴに当たるため、前記連続線ＰＬ１が磁気テープＴに対して摺動抵抗を生じさせ、その結果磁気テープＴに塗付されている磁性粉が削られる。この削られた磁性粉は、磁気テープＴの走行に伴って前記ギャップ６に運ばれて、磁気テープＴと前記磁気ギャップ６に設けられたＭＲ型薄膜磁気ヘッド３との間に堆積する。このように磁性粉が堆積すると、いわゆるスペーシングロスが発生し、出力の低下を招く。そのため、サーボ機構が不安定になるなどのサーボ特性の悪化や、エラー検出がし難くなる。これは、前記磁気ヘッドＨ１ｂの場合でも同様である。
【００２２】
特に、スチル再生のように磁気テープＴの走行を止めてスキャンするような場合には、前記磁気テープＴの磁性粉が削られ易くなる。
【００２３】
本発明は前記従来の課題を解決するものであり、磁気テープなどの記録媒体が削られ難く、スペーシングロスによる出力低下、サーボ特性の劣化を起し難く、エラー検出をし易い記録再生装置を提供することを目的とする。
【００２４】
【課題を解決するための手段】
本発明は、外周面が記録媒体との摺動面となる回転ドラムと、前記回転ドラムの摺動面に位置する磁気ヘッドとが設けられた回転ヘッド装置において、
前記磁気ヘッドは、記録媒体との摺動方向に並ぶ基体と、前記基体間に位置して前記摺動方向に対して所定のアジマス角度を有して傾斜して配置された磁気再生素子とを有しており、
前記磁気ヘッドの前記記録媒体との対向面は、前記摺動方向である縦方向の幅寸法が、これと直交する横方向の幅寸法よりも長く、
前記対向面は、前記横方向を二分する中心線での縦断面においてドラムの外側に向けて凸状に湾曲しているとともに、前記中心線と直交する横断面においてもドラムの外側に向けて凸状に湾曲しており、前記横断面での湾曲の頂点が、前記縦方向の一方に向かうにしたがって前記中心線から徐々に離れ、他方に向かうにしたがって前記中心線から前記一方と逆向きに徐々に離れる形状であり、
前記対向面は、前記記録媒体と摺動する摺動領域において、前記一方での頂点と中心線との横方向の距離、および前記他方での頂点と中心線との横方向の距離の最大値が、それぞれ２μｍであることを特徴とするものである。
【００２５】
本発明の回転ヘッド装置では、磁気ヘッドの記録媒体との対向面が、前記記録媒体が摺動する縦方向と直交する横方向を二分する中心線での縦断面、および前記中心線と直交する横断面においてドラムの外側に向けて凸状に湾曲している。そして、前記横断面での湾曲の頂点が、前記縦方向の一方に向かうにしたがって前記中心線から徐々に離れ、他方に向かうにしたがって前記中心線から前記一方と逆向きに徐々に離れる形状である。そして、前記対向面は、前記記録媒体と摺動する摺動領域において、前記一方での頂点と中心線との横方向の距離、および前記他方での頂点と中心線との横方向の距離の最大値が、それぞれ２μｍである。したがって、前記対向面に記録媒体が当接摺動したときに、摺動領域内においては、前記中心線からの前記頂点の位置ずれが極めて僅かなものであり、前記位置ずれが生じている領域における前記頂点が、記録媒体に対して与える摺動抵抗を少なくすることができ、その結果記録媒体の表面が削られ難くなる。ゆえに、削られた記録媒体の一部が記録媒体と前記磁気再生素子との間に堆積する量を少なくすることができ、いわゆるスペーシングロスの発生を抑制でき、出力の低下を抑制できる。そのため、サーボ特性の悪化を抑制できるとともに、エラー検出をし易く、エラー特性の劣化をも抑制することができる。
【００２６】
この場合、前記対向面は、前記縦方向に延びる互いに平行な一対の長辺と、前記アジマス角度と同じ方向に傾斜する互いに平行な一対の短辺、および前記長辺と前記短辺とで鋭角を成す一対の角部を有しており、
前記頂点は、縦方向に向かうにしたがって、前記中心線から離れて前記両角部に向かうように変化しているものとして構成することができる。
【００２７】
前記対向面に、前記アジマス角度と同じ方向に傾斜する互いに平行な一対の短辺を有する場合には、前記頂点は前記縦方向に向うにしたがって前記両角部に向かい易く、前記中心線から離れて形成され易い。この場合でも、前記中心線からの前記頂点の位置ずれが極めて僅かなものとすることができ、出力の低下を抑制することができる。
【００２８】
また本発明は、請求項１または請求項２に記載の回転ヘッド装置を有し、前記記録媒体が、前記回転ヘッドの外周面に所定の角度で巻き付けられ、前記記録媒体が長手方向へ移動するとともに、前記回転ヘッド装置の回転ドラムが回転して、前記磁気ヘッドが前記記録媒体を摺動し、前記磁気ヘッドにより少なくとも前記記録媒体に記録された磁気情報の読み取りが行われることを特徴とするものである。
【００２９】
【発明の実施の形態】
図１は磁気ヘッドが搭載された回転ヘッド装置を示す平面図、図２は前記回転ヘッド装置に搭載された磁気ヘッドの一例を示す斜視図、図３Ａは図２に示す磁気ヘッドを図示Ｚ１方向から見た平面を時計回りに９０度回転させた状態で示した平面図、ＢはＡをｂ−ｂ線で切断してｘ方向から見た矢視図、ＣはＡをｃ−ｃ線で切断してｘ方向から見た矢視図、ＤはＡをｄ−ｄ線で切断してｘ方向から見た矢視図、図４は図１に示す回転ヘッド装置に磁気テープが接触した状態を示す部分拡大図、図５は図２に示す磁気ヘッドを図２におけるＹ２方向から見た平面図である。
【００３０】
図１に示す回転ヘッド装置１００は、映像機器での磁気記録再生装置、またはコンピュータ用のデータを保存する磁気記録再生装置などの磁気再生装置に搭載されている。この回転ヘッド装置１００では、固定ドラム（図示せず）が固定され、前記固定ドラム上に、これと同軸の回転ドラム１００ａが回転自在に支持され、モータの動力により前記回転ドラム１００ａが矢印方向へ回転駆動される。記録媒体である磁気テープＴは、回転ヘッド装置１００にヘリカル軌跡にて所定角度巻付けられて矢印方向へ走行する。この間、回転ドラム１００ａが回転し、この回転ドラム１００ａに搭載された磁気ヘッドＨ１００ａ，Ｈ１００ｂが磁気テープＴを走査する。図１の回転ヘッド装置では、１組の再生用の磁気ヘッドＨ１００ａ，Ｈ１００ｂが互いに対向する位置に設けられている。
【００３１】
前記磁気ヘッドＨ１００ａとＨ１００ｂとは、互いに逆方向のアジマス角度が付されている。したがって、磁気テープＴについて異なるアジマス角度で記録された記録トラックのうち、磁気ヘッドＨ１００ａが一方のアジマス角度で記録されているＲチャンネル（Ｒｃｈ）の記録読み取りを行い、磁気ヘッドＨ１００ｂが前記Ｒチャンネルとは逆のアジマス角度で記録されているＬチャンネル（Ｌｃｈ）の記録読み取りを行う。
【００３２】
前記磁気ヘッドＨ１００ａは前記回転ドラム１００ａに搭載された状態で図４に示す状態で前記磁気テープＴと当接する。このとき、図４に示すＸ１方向が回転ドラム１００ａの回転方向であり、Ｘ２方向が磁気テープＴの摺動方向である縦方向となる。これは磁気ヘッドＨ１００ｂでも同様である。
【００３３】
図２は前記磁気ヘッドＨ１００ａの斜視図である。この磁気ヘッドＨ１００ａは、アルミナチタンカーバイドからなる基体１１２上に、再生用のＭＲ型薄膜磁気ヘッド１１３、および保護膜である絶縁層１１４が薄膜形成プロセスによって形成され、さらに、前記絶縁層１１４上に、エポキシ系接着剤などの接着手段（図示せず）によって、アルミナチタンカーバイドからなる保護基体１１５が接着されている。
【００３４】
ＭＲ型薄膜磁気ヘッド１１３の磁気ギャップ１１６は、前記薄膜磁気ヘッドＨ１００ａの磁気テープの対向面（図示Ｙ２側の面）Ｈ１００ａＡに露出している。図５に示すように、前記ＭＲ型薄膜磁気ヘッド１１３は、前記ＭＲ型薄膜磁気ヘッド１１３を前記縦方向と直交する方向である横方向（図２に示すＺ１−Ｚ２方向）に２分する中心線が、前記磁気ヘッドＨ１００ａを前記横方向に２分する中心線Ｏ−Ｏ線上に有る位置関係で設けられている。
【００３５】
ＭＲ型薄膜磁気ヘッド１１３に流される電流は、電極１１７を通じて与えられる。
【００３６】
図３Ａに示すように、前記磁気ヘッドＨ１００ａは前記縦方向に沿って曲率半径Ｒで形成される凸円弧形状に形成されている。また図３Ｂに示すように、前記磁気ヘッドＨ１００ａは前記横方向に沿って曲率半径ｒで形成される凸円弧形状に形成されている。
【００３７】
前記回転ヘッド装置はいわゆるヘリカルスキャン方式である。したがって図５に示すように、前記磁気ヘッドＨ１００ａに設けられた前記ＭＲ型薄膜磁気ヘッド１１３の前記磁気ギャップ１１６にはヘリカル軌跡に対応した角度θのアジマスが付けられている。
【００３８】
また、前記テープの対向面Ｈ１００ａＡの右側縁１１８および左側縁１１９も前記磁気ギャップ１１６のアジマスと同じ角度で傾斜させられている。前記右側縁１１８と上縁１２０との交叉部に生じた鋭角部１２２は、前記右側縁１１８と下縁１２１との交叉部に生じた角部１２３よりも前記縦方向に向って外側に位置しており、また前記左側縁１１９と上縁１２０との交叉部に生じた角部１２４は、前記左側縁１１９と下縁１２１との交叉部に生じた鋭角部１２５よりも前記縦方向に向って内側に位置している。したがって、前記対向面Ｈ１００ａＡの磁気テープ側（図２におけるＹ２側）から見た平面形状は図５に示すような平行四辺形に構成されている。
【００３９】
図５においてハッチングを付した範囲は、前記磁気ヘッドＨ１００ａが回転ドラム１００ａに搭載され、磁気テープが前記対向面Ｈ１００ａＡに摺動したときの磁気テープ摺動領域である第１の領域１２６であり、ハッチングが付されていない範囲が磁気テープが摺動しない第２の領域１２７である。また、図５に示すＸ１方向が磁気テープＴの摺動方向である。
【００４０】
前記磁気ヘッドＨ１００ａは、前記テープ対向面Ｈ１００ａＡを磁気テープ側から見た平面形状は平行四辺形に構成されている。したがって、前記対向面Ｈ１００ａＡに前記横方向に沿って曲率半径ｒで形成される凸円弧を形成した際には、図５に破線で示すように、鋭角部１２２、１２５に向って前記曲率半径ｒで形成される凸円弧の頂点が形成され易く、前記頂点の連続線ＰＬ２は図５に破線で示すように、前記鋭角部１２２、１２５に向う曲線となる。
【００４１】
すなわち、図５に破線で示すように、前記曲率半径ｒで形成される凸円弧の頂点位置は、前記磁気ギャップ１１６から前記右側縁１１８側の領域では、前記鋭角部１２２に近付くにしたがって、前記対向面Ｈ１００ａＡの前記横方向で２分する中心線Ｏ−Ｏ線に対して、前記上縁１２０方向にずれる。そして、前記右側縁１１８では、前記頂点位置は前記鋭角部１２２とほぼ同じ位置に形成される。
【００４２】
例えば、図３Ｂに示すように、前記磁気ヘッドＨ１００ａを前記縦方向に２分する中心線ｂ−ｂ線で切断してｘ方向から見た矢視図では、前記頂点Ｐ１０の位置は前記中心線Ｏ−Ｏ線のほぼ線上に位置している。しかし、図３Ｃに示すように、前記中心線ｂ−ｂ線よりも前記右側縁１１８方向に位置するｃ−ｃ線で切断してｘ方向から見た矢視図では、前記頂点Ｐ２０の位置は前記中心線Ｏ−Ｏ線よりも前記上縁１２０方向にずれた部分に位置している。
【００４３】
一方、前記磁気ギャップ１１６から前記左側縁１１９側の領域では、前記曲率半径ｒで形成される凸円弧の頂点位置は、前記鋭角部１２５に近付くにしたがって、前記中心線Ｏ−Ｏ線に対して、前記下縁１２１方向にずれる。そして、前記左側縁１１９では、前記頂点位置は前記鋭角部１２５とほぼ同じ位置に形成される。
【００４４】
例えば、図３Ｄに示すように、前記中心線ｂ−ｂ線よりも前記左側縁１１９方向に位置するｄ−ｄ線で切断してｘ方向から見た矢視図では、前記頂点Ｐ３０の位置は前記中心線Ｏ−Ｏ線よりも前記下縁１２１方向にずれた部分に位置している。
【００４５】
しかし図５に示すように、前記磁気ヘッドＨ１００ａが前記回転ドラム１００ａに搭載された回転ヘッド装置１００では、前記磁気ヘッドＨ１００ａが回転ドラム１００ａに搭載された状態で、磁気テープＴが前記対向面Ｈ１００ａＡに摺動したときの前記第１の領域１２６の範囲内では、前記連続線ＰＬ２の前記中心線Ｏ−Ｏ線に対するずれ量ｍは、前記第２の領域１２７における、前記中心線Ｏ−Ｏ線に対する前記連続線ＰＬ２のずれ量よりも小さい。
【００４６】
ここで、前記磁気ヘッドＨ１００ｂは前記磁気ヘッドＨ１００ａと同様の構造である。しかし、前記磁気ヘッドＨ１００ａＡとは逆方向のアジマスが付けられているため、前記対向面Ｈ１００ｂＡの磁気テープ側から見た平面形状は、磁気ヘッドＨ１００ａの前記対向面Ｈ１００ａＡとは逆方向に傾斜した平行四辺形に構成される。また、前記中心線Ｏ−Ｏ線に対する前記連続線ＰＬ２のずれは、前記磁気ヘッドＨ１００ａとは前記中心線Ｏ−Ｏ線を基準として対称になる。
【００４７】
前記磁気ヘッドＨ１００ａ，Ｈ１００ｂは、前記テープ対向面Ｈ１００ａＡ，Ｈ１００ｂＡの磁気テープ摺動方向の長さ寸法を大きくしたり、図４に示す前記回転ドラム１００ａから前記対向面Ｈ１００ａＡ，Ｈ１００ｂＡが磁気テープＴ側に突出する距離の大きさを小さくすると、前記第２の領域１２７における、前記中心線Ｏ−Ｏ線に対する前記連続線ＰＬ２のずれ量を小さくすることができる。
【００４８】
例えば図６および図７に示すように、前記連続線ＰＬ２が前記中心線Ｏ−Ｏ線に対してずれが生じている領域が前記ＭＲ型薄膜磁気ヘッド１１３の磁気ギャップ１１６から離れて形成されるようになる。
【００４９】
図６は磁気ヘッドの前記対向面の一方の鋭角部から他方の鋭角部までの長さ寸法（図５における長さ寸法Ｌ３）と、前記中心線Ｏ−Ｏ線に対する前記頂点の位置ずれの関係を示した表であり、前記図６をグラフで表わしたものが図７である。図６では、回転ヘッド装置１００に搭載された２つの磁気ヘッドＨ１００ａ、Ｈ１００ｂのうち、前記磁気ヘッドＨ１００ａをＲｃｈとし、Ｈ１００ｂをＬｃｈとして測定している。また図６および図７における測定値は、磁気ヘッドの凸Ｒ形状の曲率半径Ｒを５ｍｍ、凸ｒ形状の曲率半径ｒを１．２ｍｍとし、アジマスが２５°に構成された磁気ヘッドを用いた場合の測定値である。
【００５０】
前記図６の測定では、磁気ヘッドの磁気ギャップを測定基準位置とし、磁気ギャップからテープ摺動方向に所定の長さ寸法離れた位置での、前記ずれ量ｍを測定した。
【００５１】
前記図６から、前記磁気ギャップから所定の長さ寸法離れた位置での前記ずれ量ｍは、前記対向面の長さ寸法が大きくなるほど、小さくなっているのが分かる。すなわち、前記対向面の長さ寸法が大きくなるほど、前記ずれが生じている領域が磁気ギャップから離れる傾向にあることが分かる。
【００５２】
このように、前記磁気ヘッドＨ１００ａ，Ｈ１００ｂは、前記対向面Ｈ１００ａＡ，Ｈ１００ｂＡのテープ摺動方向における長さ寸法が大きいほど前記ずれが生じている領域が磁気ギャップから離れる傾向にある。本発明の記録再生装置は、例えば、前記対向面Ｈ１００ａＡ，Ｈ１００ｂＡの前記長さ寸法を調整し、前記磁気ヘッドＨ１００ａ，Ｈ１００ｂが前記回転ドラム１００ａに搭載された状態の回転ヘッド装置１００に磁気テープＴを巻き付けて走行させた場合に、前記中心線Ｏ−Ｏ線からの前記頂点の位置ずれ量が大きい前記第２の領域には前記磁気テープＴが摺動しないように構成し、前記位置ずれ量が小さい前記第１の領域のみに前記磁気テープＴが摺動するように構成されている。したがって、前記第１の領域１２６内で磁気テープＴが摺動したとき、前記中心線Ｏ−Ｏ線からずれが生じている領域Ｌ２のうち、ずれ量が小さい領域Ｌ２ａのみが前記磁気テープと当接して摺動するため、前記頂点が磁気テープＴに対して与える摺動抵抗を少なくすることができる。その結果、磁気テープＴに塗付されている磁性粉が削られることを抑制することができるため、削られた磁性粉が、磁気テープＴの走行に伴って前記ギャップ１１６に運ばれて、磁気テープＴと前記磁気ギャップ１１６に設けられたＭＲ型薄膜磁気ヘッド１１３との間に堆積し難くなる。したがって、いわゆるスペーシングロスを抑制することができ、出力の低下を抑制することができる。
【００５３】
しかも、本発明の回転ヘッド装置１００では、前記ずれ量ｍが２μｍ以下になるように構成されている。前記ずれ量ｍが２μｍよりも大きいと、出力の低下が大きくなって、サーボ機構が不安定になるなどのサーボ特性の悪化や、エラー検出がし難くなるが、本発明における回転ヘッド装置では前記ずれ量ｍは２μｍ以下であるため、サーボ機構が不安定になるなどのサーボ特性の悪化を抑制でき、またエラー検出がし易い。
【００５４】
以上磁気再生装置に搭載された回転ヘッド装置について、回転ドラム１００ａに１組の再生用の磁気ヘッドＨ１００ａ、Ｈ１００ｂが搭載されたものを例にして説明したが、本発明はこれに限定されるものではなく、前記回転ドラム１００ａに搭載される磁気ヘッドが１つ、または３つ以上搭載されるものであっても良い。また、前記回転ドラム１００ａには再生用の磁気ヘッドＨ１００ａ、Ｈ１００ｂの他に、記録書き込み用の磁気ヘッドや、消去用の磁気ヘッドが搭載されていても良い。この場合、記録書き込み用の磁気ヘッドや消去用の磁気ヘッドも、磁気テープの対向面が、前記磁気テープが摺動する方向である縦方向に沿って所定の曲率半径Ｒで凸円弧形状に形成され、且つ前記縦方向と直交する横方向に沿って所定の曲率半径ｒで凸円弧形状に形成されており、前記第１の領域内における曲率半径ｒで形成される前記凸円弧の頂点が、前記磁気ヘッドを前記横方向で２分する中心線から前記横方向に２μｍ以内の位置にあるものとして構成することが好ましい。このように構成すると、書き込み用の磁気ヘッドや、消去用磁気ヘッドによっても磁気テープが削られ難くすることができる。
【００５５】
また、磁気ヘッドにはＭＲ型薄膜磁気ヘッド１１３のみが設けられてられているものを例にして説明したが、本発明はこれに限定されるものではなく、例えばＭＲ型薄膜磁気ヘッド１１３とともに、インダクティブヘッドが設けられたものとして構成することもできる。この場合、前記インダクティブヘッドは、前記ＭＲ型薄膜磁気ヘッド１１３に対して、前記縦方向側に設けられる。このように構成すると、１つの磁気ヘッドで、記録の再生の他、記録の書き込みも可能となる。
【００５６】
この場合、インダクティブヘッドの磁気ギャップも、磁気ヘッドの対向面に露出したものとして構成し、前記インダクティブヘッドを前記横方向に２分する中心線が、前記磁気ヘッドを前記横方向に２分する中心線Ｏ−Ｏ線上に有る位置関係で設けられる。
【００５７】
また、本発明の回転ヘッド装置に搭載される磁気ヘッドは、フェライトなどの高透磁率の磁性材料で形成された１組のコア半体から構成され、磁気テープＴとの対向面において、前記１組のコア半体が対向して組み合わされ、前記コア半体の対向部に磁性材料層が介装されて磁気ギャップが形成された、いわゆるバルク型の記録再生用磁気ヘッドであっても良い。
【００５８】
【発明の効果】
本発明の回転ヘッド装置１００は、前記回転ドラム１００ａに前記磁気ヘッドＨ１００ａ、Ｈ１００ｂが搭載されたものであり、前記回転ヘッド装置１００に磁気テープＴを巻き付けて走行させた場合に、曲率半径ｒで形成された凸円弧の頂点の前記中心線Ｏ−Ｏ線からの位置ずれ量が大きい前記第２の領域には前記磁気テープＴが摺動しないように構成し、前記位置ずれ量が小さい前記第１の領域のみに前記磁気テープＴが摺動するように構成されている。また、前記第１の領域内における前記頂点の前記位置ずれ量は２μｍ以内に構成されている。したがって、前記頂点が磁気テープＴに対して与える摺動抵抗を少なくすることができるため、いわゆるスペーシングロスを抑制することができ、出力の低下を抑制することができる。また、サーボ特性の悪化を抑制できるとともに、エラー特性の劣化をも抑制することができる。
【図面の簡単な説明】
【図１】本発明の回転ヘッド装置を示す平面図、
【図２】図１に示す回転ヘッド装置に搭載された磁気ヘッドの一例を示す斜視図、
【図３】Ａは図２に示す磁気ヘッドを図２のＺ１方向から見た平面を時計回りに９０度回転させた状態で示した平面図、ＢはＡをｂ−ｂ線で切断してｘ方向から見た矢視図、ＣはＡをｃ−ｃ線で切断してｘ方向から見た矢視図、ＤはＡをｄ−ｄ線で切断してｘ方向から見た矢視図、
【図４】図１に示す回転ヘッド装置に磁気テープが接触した状態を示す部分拡大図、
【図５】図２に示す磁気ヘッドを図２におけるＹ２方向から見た平面図、
【図６】磁気ヘッドの対向面の長さ寸法と頂点の位置ずれの関係を示した表、
【図７】前記図６のデータのグラフ、
【図８】従来の回転ヘッド装置を示す平面図、
【図９】前記回転ヘッド装置に搭載された磁気ヘッドの一例を示す斜視図、
【図１０】Ａは図７に示す磁気ヘッドを図９のＺ１方向から見た平面を時計回りに９０度回転させた状態で示した平面図、ＢはＡをｂ−ｂ線で切断してｘ方向から見た矢視図、ＣはＡをｃ−ｃ線で切断してｘ方向から見た矢視図、ＤはＡをｄ−ｄ線で切断してｘ方向から見た矢視図、
【図１１】図８に示す回転ヘッド装置に磁気テープが接触した状態を示す部分拡大図、
【図１２】図９に示す磁気ヘッドを図９におけるＹ２方向から見た平面図、
【符号の説明】
１００　回転ヘッド装置
１００ａ　回転ドラム
１１２　基体
１１３　ＭＲ型薄膜磁気ヘッド
１１４　絶縁層
１１５　保護基体
１１６　磁気ギャップ
１１７　電極
１２２，１２５　鋭角部
１２６　第１の領域
１２７　第２の領域
Ｈ１００ａ、Ｈ１００ｂ　磁気ヘッド
Ｈ１００ａＡ、Ｈ１００ｂＡ　対向面
Ｐ１０，Ｐ２０，Ｐ３０　曲率半径ｒで形成された凸円弧の頂点
ＰＬ２　連続線
【図１】
2004134043.tif 000003
【図２】
2004134043.tif 000004
【図３】
2004134043.tif 000005
【図４】
2004134043.tif 000006
【図５】
2004134043.tif 000007
【図６】
2004134043.tif 000008
【図７】
2004134043.tif 000009
【図８】
2004134043.tif 000010
【図９】
2004134043.tif 000011
【図１０】
2004134043.tif 000012
【図１１】
2004134043.tif 000013
【図１２】
2004134043.tif 000014